(57)【要約】【課題】キャスティング時及びリーリング時の幹糸と道糸との絡みを防止しつつ、仕掛けの飛距離を伸ばす釣用天秤の提供。【解決手段】この天秤１０は、錘１１と、メインワイヤ１２と、サブワイヤ１２と、姿勢変化機構１４とを有する。姿勢変化機構１４は、メインワイヤ１２に対するサブワイヤ１３の角度θを変化させる。姿勢変化機構１４は、サブワイヤ１３をメインワイヤ１２に対してスライドさせるスライド部２８を有する。スライド部２８は、サブワイヤ１３に設けられたスライドリング２７と、メインワイヤ１２に設けられた支点リング２４とを有する。サブワイヤ１３が支点リング２４を支点として揺動することにより、角度氏θが変化する。【選択図】図３
2016171757.tif 000002
【特許請求の範囲】
【請求項１】
錘と、
先端に道糸が結合される細長線材からなるメインワイヤと、
先端に仕掛けが結合される細長線材からなるサブワイヤと、
上記メインワイヤに対する上記サブワイヤの角度が大きい拡角姿勢及び小さい狭角姿勢の間で当該サブワイヤの姿勢を変化させる姿勢変化機構とを備えた釣用天秤。
【請求項２】
上記姿勢変化機構は、
上記サブワイヤの他端を上記メインワイヤに沿ってスライド自在に保持するスライド部と、
上記サブワイヤの他端部を支持し、当該サブワイヤの他端がスライドすることによって当該他端部の支持された部位を支点として当該サブワイヤを揺動させる支点部とを備えている請求項１に記載の釣用天秤。
【請求項３】
上記スライド部は、上記サブワイヤの他端に設けられ、上記メインワイヤが挿通されるスライドリングからなり、
上記支点部は、上記メインワイヤに突設され、上記サブワイヤの他端部が挿通された支点リングからなる請求項２に記載の釣用天秤。
【請求項４】
上記スライドリングは、上記サブワイヤの他端に一体的に形成されている請求項３に記載の釣用天秤。
【発明の詳細な説明】
【技術分野】
【０００１】
この発明は、主として投げ釣りに使用される釣用天秤の構造に関するものである。
【背景技術】
【０００２】
釣りのジャンルに「投げ釣り」と称されるものがある。投げ釣りでは、釣人は、釣竿及び釣用リールを使用して仕掛けを遠投する。一般に投げ釣りでは、仕掛けが遠投されればされるほどターゲットのバイトの確率が上がり、釣果につながると考えられている。このため、仕掛けの飛距離の向上を目的として様々な提案がなされている（たとえば、特許文献１及び特許文献２参照）。
【０００３】
図８は、従来の一般的な投げ釣り用タックルの構成を示す模式図である。同図が示すように、このタックルは、天秤１と、「サルカン」と称される連結具２を介して天秤１に連結された道糸３と、天秤１に連結された仕掛け４とを備えている。仕掛け４は、幹糸５に釣針６が固定されたものである。天秤１は、錘７、メインワイヤ８、及びサブワイヤ９を備えている。サブワイヤ９は、メインワイヤ８に対して直交している。
【０００４】
釣人は、釣竿を用いて仕掛け４を遠投する。タックルの中で最も重いのは錘７である。このため、釣人のキャスティング動作により、仕掛け４は、錘７を先頭にして錘７に引っ張られるようにして飛行する。このとき、幹糸５は、錘７から道糸３側（白抜き矢印の向き）へ延びて飛行する。同図が示すように、幹糸５がサブワイヤ９によって道糸３から離隔されているので、仕掛け４の飛行中に幹糸５が道糸３に絡まることが防止される。
【０００５】
天秤１が仕掛け４と共に着水した後、釣人は道糸３を釣用リールを用いて巻き取る。これにより、天秤１が道糸３に引っ張られ、仕掛け４は、天秤１に引きずられた状態で道糸３に対して巻取方向反対向きに延びることになる（同図参照）。前述のように幹糸５がサブワイヤ９によって道糸３から離隔されているので、仕掛け４が道糸３に絡まることが防止される。さらに、釣人は、状況に応じて道糸３をゆっくりとリーリングし、いわゆる引き釣りを行うことにより、魚のバイトを誘う。魚がバイトすれば、その振動が天秤１及び道糸３を介して釣人に伝わり、釣人は、魚のヒットを確認する。
【先行技術文献】
【特許文献】
【０００６】
【特許文献１】特開２００７−１１６９４３号公報
【特許文献２】特開２００９−１７８１３８号公報
【発明の概要】
【発明が解決しようとする課題】
【０００７】
ところで、前述のようにメインワイヤ８とサブワイヤ９とが直交しているので、飛行中の天秤１の空気抵抗（特にサブワイヤ９の空気抵抗）が大きくなり、飛距離が短くなるという問題があった。この問題が解決されるためには、サブワイヤ９あるいは天秤１が取り外されればよいが、その一方で、キャスティング時及びリーリング時の幹糸５と道糸３との絡みを防止するためには、前述のように天秤１が必要である。
【０００８】
本発明はかかる背景のもとになされたものであって、その目的は、キャスティング時及びリーリング時の幹糸５と道糸３との絡みを確実に防止しつつ、仕掛けの飛距離が長くなる釣用天秤を提供することである。
【課題を解決するための手段】
【０００９】
(1) 本発明に係る釣用天秤は、本発明に係る釣用天秤は、錘と、先端に道糸が結合される細長線材からなるメインワイヤと、先端に仕掛けが結合される細長線材からなるサブワイヤと、
上記メインワイヤに対する上記サブワイヤの角度が大きい拡角姿勢及び小さい狭角姿勢の間で当該サブワイヤの姿勢を変化させる姿勢変化機構とを備えている。
【００１０】
この発明では、上記姿勢変化機構により、メインワイヤに対するサブワイヤの姿勢が拡角姿勢と狭角姿勢との間で変化する。サブワイヤが狭角姿勢となった状態で、サブワイヤはメインワイヤ側に傾斜する。この状態で釣用天秤が仕掛けと共にキャストされる。上記メインワイヤに対するサブワイヤの角度が小さいので、飛行中のサブワイヤの空気抵抗は大幅に低減される。その一方でサブワイヤはメインワイヤに対して傾斜しているので、上記仕掛けと道糸とは一定の距離だけ離され、したがって、上記仕掛けが道糸に絡むことが防止される。
【００１１】
仕掛けと共に釣用天秤が着水し、着底すると、道糸が巻き取られる。道糸が巻き取られると、釣用天秤が引っ張られ、さらに、この釣用天秤に仕掛けが引っ張られることになる。つまり、サブワイヤは、相対的に仕掛けに引っ張られ、狭角姿勢から拡角姿勢に変化する。メインワイヤに対するサブワイヤの角度が拡大されることにより、上記仕掛けと道糸とは十分な距離だけ離され、したがって、上記仕掛けが道糸に絡むことが防止される。
【００１２】
(2) 上記姿勢変化機構は、上記サブワイヤの他端を上記メインワイヤに沿ってスライド自在に保持するスライド部と、上記サブワイヤの他端部を支持し、当該サブワイヤの他端がスライドすることによって当該他端部の支持された部位を支点として当該サブワイヤを揺動させる支点部とを備えて構成され得る。
【００１３】
この構成では、上記スライド部がメインワイヤに沿ってスライドすることにより、サブワイヤは、上記支点を基準に揺動する。つまり、サブワイヤの先端部は、メインワイヤから離反するように又は接近するように簡単に変位し、上記角度が自在に拡大又は縮小する。
【００１４】
(3) 上記スライド部は、上記サブワイヤの他端に設けられ、上記メインワイヤが挿通されるスライドリングから構成され得る。上記支点部は、上記メインワイヤに突設され、上記サブワイヤの他端部が挿通された支点リングから構成され得る。
【００１５】
この構成では、メインワイヤ、サブワイヤ及び連結部の構造がきわめて簡単になる。これらは、たとえば金属製の線状部材から構成され得る。
【００１６】
(4) 上記スライドリングは、上記サブワイヤの他端に一体的に形成され得る。
【００１７】
この構成では、スライドリングは、サブワイヤの他端部が湾曲ないし屈曲されることにより構成される。したがって、連結部の構造がより簡単になる。
【発明の効果】
【００１８】
この発明によれば、釣用天秤のメインワイヤに対するサブワイヤの角度が狭くなるので、キャスティング時に当該釣用天秤の空気抵抗が抑えられて仕掛けの飛距離が長くなる。しかも、メインワイヤに対してサブワイヤが一定の角度をなして傾斜するので、道糸と仕掛けとが絡みにくく、他方、所要時にメインワイヤに対するサブワイヤの角度が広くなるので、リーリング時に道糸と仕掛けとが絡むことも防止される。
【図面の簡単な説明】
【００１９】
【図１】図１は、本発明の一実施形態に係る天秤の外観斜視図である。
【図２】図２は、本発明の一実施形態に係る天秤の外観斜視図である。
【図３】図３は、本発明の一実施形態に係る天秤の断面図である。
【図４】図４は、本発明の一実施形態に係る姿勢変化機構の拡大斜視図である。
【図５】図５は、本発明の一実施形態に係る姿勢変化機構の拡大斜視図である。
【図６】図６は、本発明の一実施形態に係る天秤がキャストされた状態を示す図である。
【図７】図７は、本発明の一実施形態に係る天秤がリトリーブされる状態を示す図である。
【図８】図８は、従来の一般的な投げ釣り用タックルの構成を示す模式図である。
【発明を実施するための形態】
【００２０】
以下、本発明の好ましい実施形態が、適宜図面が参照されながら説明される。なお、本実施の形態は、本発明に係る釣用天秤の一態様にすぎず、本発明の要旨を変更しない範囲で実施態様が変更されてもよいことは言うまでもない。
【００２１】
図１及び図２は、本発明の一実施形態に係る釣用天秤１０の外観斜視図である。図３は、釣用天秤１０の断面図である。
【００２２】
この釣用天秤（以下、単に「天秤」と称される。）１０は、いわゆる投げ釣りの際に使用されるものである。天秤１０は、錘１１と、メインワイヤ１２と、サブワイヤ１３と、メインワイヤ１２に対するサブワイヤ１３の姿勢（両者間の角度θ）を変化させる姿勢変化機構１４とを備えている。本実施形態に係る天秤１０の特徴とするところは、この姿勢変化機構１４が設けられている点である。姿勢変化機構１４により、サブワイヤ１３は、メインワイヤ１２に対して図１が示す姿勢（拡角姿勢）と図２が示す姿勢（狭角姿勢）との間で変位することができるようになっている。
【００２３】
図３が示すように、錘１１は、全体として紡錘形を呈している。錘１１は、本体１５とカバー１６を有する。本体１５は、金属（典型的には鉛）からなり、カバー１６は、樹脂やゴムからなる。もっとも、錘１１が金属により一体的に形成されていてもよい。
【００２４】
メインワイヤ１２は、第１ワイヤ１７と、第２ワイヤ１８とを備えている。これらは、たとえばたとえば真直なステンレス鋼（細長線材）からなり、線径は１ｍｍ程度である。第１ワイヤ１７の先端部１９はリング状に形成されており、ここに道糸が連結される。第１ワイヤ１７の他端側部分は、図３が示すように錘１１の内部に埋設されており、第１ワイヤ１７の他端部２０はリング状に形成されている。
【００２５】
第２ワイヤ１８は、第１ワイヤ１７と並設されている。同図が示すように、第２ワイヤ１８の長さは、第１ワイヤ１７よりも短く、たとえば第１ワイヤ１７の２５％〜５０％に設定され得る。第２ワイヤ１８の先端部２１は屈曲されており、第１ワイヤ１７の径方向に突出している。第２ワイヤ１８の他端側部分は錘１１の内部に埋設されており、第２ワイヤ１８の他端部２２もリング状に形成されている。錘１１の頂部に固定軸２３が埋設されている。第１ワイヤ１７及び第２ワイヤ１８のそれぞれの他端部２０、２２は重ね合わされており（同図において紙面に垂直な方向）、固定軸２３が上記他端部２０、２２を貫通している。これにより、第１ワイヤ１７及び第２ワイヤ１８は、固定軸２３に支持された状態で錘１１に固定されている。なお、前述のように、本実施形態では、第２ワイヤ１８は、第１ワイヤ１７と並設された状態で錘１１に取り付けられており、第２ワイヤ１８の先端部２１は、第１ワイヤ１７に突設された状態となっている。このため、第２ワイヤ１８は、錘１１に取り付けられることなく、第１ワイヤ１７に直交するように当該第１ワイヤ１７直接に突設されていてもよい。
【００２６】
図１及び図２が示すように、第２ワイヤ１８の先端に支点リング２４（特許請求の範囲に記載された「支点部」に相当）が設けられている。この支点リング２４は、楕円形の穴を有し、同図が示すようにサブワイヤ１３が支点リング２４を貫通している。サブワイヤ１３と支点リング２４とはいわゆる遊嵌状態となっており、後述のようにサブワイヤ１３は、支点リング２４を支点として揺動することができるようになっている。もっとも、支点リング２４の穴の形状は楕円に限らず円形であってもよく、要するに、サブワイヤ１３が揺動できるように遊嵌される形状であればよい。
【００２７】
サブワイヤ１３は、たとえばたとえば真直なステンレス鋼からなり、線径は１ｍｍ程度である。サブワイヤ１３の先端部２５はリング状に形成されており、ここに仕掛けの幹糸が連結される。サブワイヤ１３の他端部２６は、図１〜図３が示すように屈曲されている。この屈曲角φは、１０°（ｄｅｇｒｅｅ）〜３０°程度に設定される。サブワイヤ１３の他端にスライドリング２７が設けられている。本実施形態では、スライドリング２７は、サブワイヤ１３が湾曲されることにより当該サブワイヤ１３と一体的に形成されている。もっとも、環状部材が別途設けられ、これがサブワイヤ１３の他端に固定されてもよい。メインワイヤ１２は、スライドリング２７に挿通されている。スライドリング２７の形状は特に限定されないが、スライドリング２７は、メインワイヤ１２がスライド自在に挿通され得るものであることが必要である。
【００２８】
上記スライドリング２７及びメインワイヤ１２の一部（スライドリング２７と摺動する部分）によってスライド部２８が構成されている。すなわち、メインワイヤ１２をスライドベースとし、上記スライドリング２７をスライダとして、当該スライドリング２７が後述のようにメインワイヤ１２の長手方向に沿ってスライド可能となっている。
【００２９】
上記姿勢変化機構１４は、上記スライド部２８及び支点リング２４とを有して構成されている。前述のように、サブワイヤ１３は、メインワイヤ１２に対して拡角姿勢（図１参照）と狭角姿勢（図２参照）との間で変位することができる。サブワイヤ１３の姿勢変化の態様及びそれによる作用効果については、実際の釣りの状況に合わせて次のように説明される。
【００３０】
図４及び図５は、姿勢変化機構１４の拡大斜視図である。図４はサブワイヤ１３が拡角姿勢である場合を示し、図５は狭角姿勢である場合を示している。
【００３１】
この天秤１０は、典型的には投げ釣りに使用され、前述のように道糸がメインワイヤ１２の先端部１９に連結されると共に仕掛けの幹糸がサブワイヤ１３の先端部２５に連結される。釣人は、天秤１０と共に仕掛けをキャストするが、このとき、サブワイヤ１３を操作して狭角姿勢に変化させる（図２参照）。すなわち、釣人は、図４及び図５が示すように、サブワイヤ１３を手に取り、図１の状態からスライドリング２７をメインワイヤ１２に沿って錘１１側に（図４において矢印２９の向きに）スライドさせながらサブワイヤ１３を支点リング２４に矢印３０の向きに沿って送り込む。これにより、サブワイヤ１３の他端部２６は図５示す位置に移動し、メインワイヤ１２に対するサブワイヤ１３の角度θは、θ１（図１参照）からθ２図２参照）に変化する。この角度θ２は、本実施形態では４５°に設定されているが、５０°〜３０°の範囲で適宜設定され得る。つまり、サブワイヤ１３は、メインワイヤ１２側に傾斜している。
【００３２】
図６は、仕掛けと共に天秤１０がキャストされた状態を示す図である。
【００３３】
サブワイヤ１３が狭角姿勢の状態で天秤１０が仕掛け４と共にキャストされ、これらは同図の白抜矢印３１の向きに飛行する。メインワイヤ１２に対するサブワイヤ１３の角度θ２が小さいし、しかも、飛行中は、サブワイヤ１３が相対的に仕掛け４に白抜矢印３１と反対側に引っ張られるので、上記角度θ２はより小さくなる。そのため、飛行中のサブワイヤの空気抵抗は大幅に低減され、天秤１０及び仕掛け４の飛距離は大きくなる。しかも、仕掛け４と道糸３とは一定の距離Ｄだけ離されるので、仕掛け４が飛行中に道糸３に絡むことが防止される。
【００３４】
図７は、着水した天秤１０が仕掛け４と共にリトリーブされる状態を示す図である。
【００３５】
天秤１１にリードされた仕掛け４が着水し、釣人の所望のポイントに着底すると、釣人は釣用リールを操作して道糸３を白抜矢印３４の向きに巻き取る。道糸３が巻き取られると、同図が示すように天秤１０が引っ張られ、さらに、この天秤１０に仕掛け４が引っ張られることになる。サブワイヤ１３は、相対的に仕掛け４に引っ張られ、狭角姿勢から拡角姿勢に変化する。具体的には、図５が示す状態からサブワイヤ１３が矢印３２の向きに引っ張られてスライドリング２７がメインワイヤ１２に沿って矢印３３の向きにスライドする。これにより、サブワイヤ１３の他端部２６は図４示す位置に移動し、メインワイヤ１２に対するサブワイヤ１３の角度θは、θ２（図１参照）からθ１（図２参照）に変化する。この角度θ１は、本実施形態では９０°に設定されているが、サブワイヤ１３がメインワイヤ１２に対して略直交していれば特に限定されない。実際には、サブワイヤ１３は、仕掛け４に相対的に引っ張られて図７が示すようにさらに角度θ３だけ傾斜するが、仕掛け４は、道糸３から十分に離反されるし、天秤１０を挟んで道糸３とは反対側に位置するので、両者が絡み合うことはない。
【００３６】
このように、本実施形態に係る天秤１０では、姿勢変化機構１４が設けられていることから、メインワイヤ１２に対するサブワイヤ１３の角度θ（図３参照）が狭くなるので、キャスティング時に天秤１０の空気抵抗が抑えられて仕掛け４の飛距離が長くなる。しかも、図２、図５及び図６が示すように、上記角度θは一定の値が維持されるので、道糸３と仕掛け４とが絡みにくい。その上、図１、図４及び図７が示すように、道糸３のリーリング時には上記角度θが広くなるので、道糸３と仕掛け４とが絡むことも防止される。
【００３７】
本実施形態では、図４及び図５が示すように、姿勢変化機構１４は、スライド部２８及び支点リング２４とを有しており、サブワイヤ１３は、支点リング２４を支点として揺動する。これにより、サブワイヤ１３の先端側部分は、メインワイヤ１２から離反又は接近するように簡単に変位する。すなわち、上記角度θを拡大又は縮小する姿勢変化機構１４の構成が非常に簡単である。
【００３８】
また、上記スライド部２８は、サブワイヤ１３の他端に設けられたスライドリング２７から構成されるので、スライド部２８の構造が一層簡単になる。しかも、本実施形態では、スライドリング２７は、サブワイヤ１３と一体的に形成されているから、なお一層スライド部２８の構造がシンプルになり、姿勢変化機構１４も安価に構成される。
【００３９】
なお、本実施形態では、スライド部２８は、サブワイヤ１３側に設けられたスライドリング２７にメインワイヤ１２が挿通される構造であるが、メインワイヤ１２に対してスライドする部材が別途設けられ、この部材にサブワイヤ１３の他端が連結されていてもよい。要するに、メインワイヤ１２側をスライドベースとして、これに対してスライドするスライダがサブワイヤ１３と結合していればよい。
【符号の説明】
【００４０】
１０・・・天秤
１１・・・錘
１２・・・メインワイヤ
１３・・・サブワイヤ
１４・・・姿勢変化機構
１７・・・第１ワイヤ
１８・・・第２ワイヤ
２４・・・支点リング
２５・・・サブワイヤの先端部
２６・・・サブワイヤの他端部
２７・・・スライドリング
２８・・・スライド部
【図１】
2016171757.tif 000003
【図２】
2016171757.tif 000004
【図３】
2016171757.tif 000005
【図４】
2016171757.tif 000006
【図５】
2016171757.tif 000007
【図６】
2016171757.tif 000008
【図７】
2016171757.tif 000009
【図８】
2016171757.tif 000010